(57)【要約】      （修正有）【課題】小型化することができて、エネルギー源を節約するために追加部品を必要としないイオン風を発生させるヒートシンク装置を提供する。【解決手段】ヒートシンク装置は、電源に接続された金属製の本体１０と、本体１０の一方の側面に形成された複数の鋭い歯１１と、本体１０から間隔を置いて配置された金属製の接地部材２０とを有する。本体１０に電気が流されたとき、複数の鋭い歯１１は、コロナ現象を生じさせる強い電場の中にあり、複数の鋭い歯１１の周囲の空気がイオン化される。複数の鋭い歯１１と同じ電荷を有するイオンが、複数の鋭い歯１１により退けられ、接地部材２０へ移動し、これにより、熱を放散するように電気の風が生じる。【選択図】図１
2008078260.tif 000002
【特許請求の範囲】
【請求項１】
電源に接続された、複数の鋭い歯を有する金属製の本体と、該本体から間隔を置いて配置された、前記本体の前記複数の鋭い歯に対応する金属製の接地部材であって前記本体に電気が流されたときに前記複数の鋭い歯から前記接地部材へイオン風が流れるようにする接地部材とを含む、ヒートシンク装置。
【請求項２】
前記本体は垂直なシートからなり、前記複数の鋭い歯は前記シートの一方の側面に形成されている、請求項１に記載のヒートシンク装置。
【請求項３】
前記本体は垂直な小片からなり、前記複数の鋭い歯は前記小片の一方の側面に形成されている、請求項１に記載のヒートシンク装置。
【請求項４】
前記接地部材は垂直な小片からなり、かつ複数の開口を有する、請求項１に記載のヒートシンク装置。
【請求項５】
前記接地部材は網状の小片からなる、請求項１に記載のヒートシンク装置。
【請求項６】
前記接地部材は複数の冷却フィンを有する、請求項１に記載のヒートシンク装置。
【請求項７】
前記接地部材から間隔を置いて複数の冷却フィンが配置されている、請求項１に記載のヒートシンク装置。
【請求項８】
前記本体及び前記接地部材を間隔が置かれた状態に保つために前記本体と前記接地部材との間に絶縁フレームが配置されている、請求項１に記載のヒートシンク装置。
【請求項９】
前記接地部材から間隔を置いて複数の冷却フィンが配置されている、請求項８に記載のヒートシンク装置。
【請求項１０】
前記本体は垂直な小片からなり、前記複数の鋭い歯は前記小片の一方の側面に形成されており、前記接地部材は垂直な小片からなり、かつ複数の開口を有する、請求項１に記載のヒートシンク装置。
【請求項１１】
前記本体は垂直な小片からなり、前記複数の鋭い歯は前記小片の一方の側面に形成されており、前記接地部材は網状の小片からなる、請求項１に記載のヒートシンク装置。
【発明の詳細な説明】
【技術分野】
【０００１】
本発明は、イオン風によるヒートシンク装置、具体的には、放熱効果を生じさせるために先端放電の原理に基づきイオン風を発生させるヒートシンク装置に関する。
【背景技術】
【０００２】
家電機器は、通常、使用時に大量の熱を生じる。前記熱は電気エネルギーから変換される。しかし、多くの電化製品は高い温度に十分に耐えることができない。また、多くの電化製品は、加熱が繰り返されることにより損傷を受ける。電化製品には、ヒートシンク装置が設けられていることが多い。
【０００３】
従来のヒートシンク装置は金属製の熱導体を有し、該熱導体は複数の冷却フィンを有する。前記複数の冷却フィンにファンが取り付けられている。熱源からの熱は、前記複数の冷却フィンに伝わり、前記ファンにより放散されるか、又は前記熱は自然対流により放散される。
【０００４】
しかし、前記ファンの騒音及び寿命が問題となる。また、自然対流装置は比較的大きい。
【発明の開示】
【発明が解決しようとする課題】
【０００５】
本発明は、前記した問題点を改善する、イオン風によるヒートシンク装置を提供する。
【課題を解決するための手段】
【０００６】
本発明に係るヒートシンク装置は、電源に接続された金属製の本体と、該本体に形成された複数の鋭い歯と、前記本体から間隔を置いて配置され、かつ接地された金属製の接地部材とを含む。
【０００７】
前記本体に電気が流されたとき、前記複数の鋭い歯は、コロナ現象を生じさせる強い電場の中にあり、前記複数の鋭い歯の周囲の空気がイオン化される。前記複数の鋭い歯と同じ電荷を有するイオンが、前記複数の鋭い歯により退けられ、前記接地部材へ移動し、電気の風が生じる。前記電気の風はイオン風とも呼ばれている。前記イオン風は、前記本体から前記接地部材へ空気を移動させるのに十分な強さを有する。このため、前記本体の熱が空気対流により効率的に放散される。
【０００８】
本発明によれば、ヒートシンク装置を小型化することができ、また、エネルギー源を節約するために追加の部品を必要としない。
【０００９】
本発明の他の目的、利点及び新規な特徴は、添付の図面に関しての以下の詳細な説明からより明らかになろう。
【発明を実施するための最良の形態】
【００１０】
図１に示すように、本発明の第１実施例に係る、イオン風を用いるヒートシンク装置は、電源に接続された金属製の本体１０を有する。本体１０は垂直なシートからなり、本体１０の一方の側面に複数の鋭い歯１１が形成されている。
【００１１】
本体１０から間隔を置いて接地部材２０が配置されており、接地部材２０は複数の鋭い歯１１に対応している。接地部材２０は、垂直な小片からなり、複数の鋭い歯１１と同じ数の複数の開口２１を有する。各開口２１は、円形であるか、又は他の形状を有する。
【００１２】
本体１０及び接地部材２０を所定の間隔で隔てられた状態に保つために本体１０と接地部材２０との間に絶縁フレーム３０が配置されている。
【００１３】
本体１０に電気が流されたとき、複数の鋭い歯１１は、コロナ現象を生じさせる強い電場の中にあり、複数の鋭い歯１１の周囲の空気がイオン化される。複数の鋭い歯１１と同じ電荷を有するイオンが、複数の鋭い歯１１により退けられ、接地部材２０へ移動する。その結果、電気の風が生じる。前記電気の風はイオン風とも呼ばれている。前記イオン風は、本体１０から接地部材２０へ空気を移動させるのに十分な強さを有する。
【００１４】
放熱効果を高めるために、接地部材２０の後方に複数の冷却フィン４０が配置されており、接地部材２０は熱源と接触している。前記イオン風は空気対流により複数の冷却フィン４０から熱を吹き飛ばす。
【００１５】
本体１０に正の電圧が加えられるとき、前記イオン風は正であり、本体１０に負の電圧が加えられるとき、前記イオン風は逆である。
【００１６】
図２に示すように、本発明の第２実施例に係るヒートシンク装置は、電源に接続された小片からなる本体１０ａを有する。本体１０ａの一方の側面に複数の鋭い歯１１ａが形成されており、本体１０ａは熱源と接触している。本体１０ａから間隔を置いて接地部材２０ａが配置されており、接地部材２０ａは複数の鋭い歯１１ａに対応している。接地部材２０ａは複数の鋭い歯１１ａと同じ数の複数の開口２１ａを有する。各開口２１ａは、円形であるか、又は他の形状を有する。
【００１７】
本体１０ａに電気が流されたとき、複数の鋭い歯１１ａは、コロナ現象を生じさせる強い電場の中にあり、複数の鋭い歯１１ａの周囲の空気がイオン化される。複数の鋭い歯１１ａと同じ電荷を有するイオンが、複数の鋭い歯１１ａにより退けられ、接地部材２０ａへ移動し、電気の風が生じる。前記電気の風はイオン風とも呼ばれている。前記イオン風は、空気対流により本体１０ａから接地部材２０ａへ空気を移動させるのに十分な強さを有する。
【００１８】
本体１０ａに正の電圧が加えられるとき、前記イオン風は正であり、本体１０ａに負の電圧が加えられるとき、前記イオン風は逆である。
【００１９】
図３に示すように、本発明の第３実施例に係るヒートシンク装置は、電源に接続された垂直な小片からなる本体１０ｂを有し、該本体の一方の側面に複数の鋭い歯１１ｂが形成されている。本体１０ｂは熱源と接触している。
【００２０】
本体１０ｂから間隔を置いて接地部材２０ｂが配置されており、接地部材２０ｂは複数の鋭い歯１１ｂに対応している。接地部材２０ｂは複数の鋭い歯１１ｂと同じ数の複数の開口２１ｂを有する。
【００２１】
本体１０ｂに電気が流されたとき、複数の鋭い歯１１ｂは、コロナ現象を生じさせる強い電場の中にあり、複数の鋭い歯１１ｂの周囲の空気がイオン化される。複数の鋭い歯１１ｂと同じ電荷を有するイオンが、複数の鋭い歯１１ｂにより退けられ、接地部材２０ｂへ移動し、電気の風が生じる。前記電気の風はイオン風とも呼ばれている。前記イオン風は、本体１０ｂから接地部材２０ｂへ空気を移動させるのに十分な強さを有する。このため、本体１０ｂの熱が空気対流により効率的に放散される。
【００２２】
本体１０ｂに正の電圧が加えられるとき、前記イオン風は正であり、本体１０ｂに負の電圧が加えられるとき、前記イオン風は逆である。
【００２３】
図４に示すように、本発明の第４実施例に係るヒートシンク装置は、電源に接続された金属製の本体１０ｃを有し、該本体に複数の鋭い歯１１ｃが形成されている。
【００２４】
本体１０ｃから間隔を置いて接地部材２０ｃが配置されている。接地部材２０ｃは、垂直な複数の冷却フィン４０を有し、熱源と接触している。前記複数の冷却フィンの数は複数の鋭い歯１１ｃの数と同じである。
【００２５】
本体１０ｃに電気が流されたとき、複数の鋭い歯１１ｃは、コロナ現象を生じさせる強い電場の中にあり、複数の鋭い歯１１ｃの周囲の空気がイオン化される。複数の鋭い歯１１ｃと同じ電荷を有するイオンが、複数の鋭い歯１１ｃにより退けられ、接地部材２０ｃへ移動し、電気の風が生じる。前記電気の風はイオン風とも呼ばれている。前記イオン風は、本体１０ｃから接地部材２０ｃへ空気を移動させるのに十分な強さを有する。このため、接地部材２０ｃの熱が熱対流の原理により放散される。
【００２６】
本体１０ｃに正の電圧が加えられるとき、前記イオン風は正であり、本体１０ｃに負の電圧が加えられるとき、前記イオン風は逆である。
【００２７】
図５に示す、本発明の第５実施例は、第１実施例と類似しているが、接地部材２０ｄが、図３に示したように網状の小片からなる。
【００２８】
本体１０ｄに電気が流されたとき、複数の鋭い歯１１ｄは、コロナ現象を生じさせる強い電場の中にあり、複数の鋭い歯１１ｄの周囲の空気がイオン化される。複数の鋭い歯１１ｄと同じ電荷を有するイオンが、複数の鋭い歯１１ｄにより退けられ、接地部材２０ｄへ移動し、電気の風が生じる。前記電気の風はイオン風とも呼ばれている。前記イオン風は、本体１０ｄから接地部材２０ｄへ空気を移動させるのに十分な強さを有する。このため、複数の冷却フィン４０の熱が熱対流の原理により効率的に放散される。
【００２９】
本体１０ｄに正の電圧が加えられるとき、前記イオン風は正であり、本体１０ｄに負の電圧が加えられるとき、前記イオン風は逆である。
【００３０】
図６に示すように、本発明の第６実施例に係るヒートシンク装置はＬＥＤライト５０に適用されている。金属製の本体１０ｅは、複数の冷却フィンを有し、ＬＥＤライト５０の熱源と接触している。本体１０ｅに電気が流されたとき、複数の鋭い歯１１ｅは、強い電場の中にあり、コロナ現象を生じさせ、複数の鋭い歯１１ｅの周囲の空気がイオン化される。複数の鋭い歯１１ｅと同じ電荷を有するイオンが、複数の鋭い歯１１ｅにより退けられ、接地部材２０ｅへ移動し、イオン風と呼ばれる電気の風が生じる。前記イオン風は、熱対流の原理により本体１０ｅから接地部材２０ｅへ空気を移動させるのに十分な強さを有する。このため、ＬＥＤライト５０により生じた熱が放散される。
【図面の簡単な説明】
【００３１】
【図１】本発明の第１実施例に係るヒートシンク装置の斜視図。
【図２】本発明の第２実施例に係るヒートシンク装置の斜視図。
【図３】本発明の第３実施例に係るヒートシンク装置の斜視図。
【図４】本発明の第４実施例に係るヒートシンク装置の斜視図。
【図５】本発明の第５実施例に係るヒートシンク装置の斜視図。
【図６】ＬＥＤライトに適用された、本発明に係るヒートシンク装置の断面図。
【符号の説明】
【００３２】
１０、１０ａ、１０ｂ、１０ｃ、１０ｄ、１０ｅ    本体
１１、１１ａ、１１ｂ、１１ｃ、１１ｄ、１１ｅ    鋭い歯
２０、２０ａ、２０ｂ、２０ｄ、２０ｅ    接地部材
２１、２１ａ、２１ｂ    開口
３０    絶縁フレーム
４０    冷却フィン
【図１】
2008078260.tif 000003
【図２】
2008078260.tif 000004
【図３】
2008078260.tif 000005
【図４】
2008078260.tif 000006
【図５】
2008078260.tif 000007
【図６】
2008078260.tif 000008